(57)【特許請求の範囲】
【請求項１】
長方形プレートを有し、このプレートが丸い隅部面を有し、またリールに対向する前記プレートの正面側は平滑面上に環状キャップを備え、また前記プレートのリールから反対側の後側面は複数のリブによって補強され、前記プレートの正面に対して直角に延在しそれぞれ相異なる輪郭を有する４側壁を備えた成形性材料から成るリール保持用端壁において、２つの相互に対向する側壁（３、４）が平滑な平面状に形成され、他の２つの相互に対向する側壁（５、６）が相異なる構造を有し、その一方の側壁（５）はこの側壁に沿って連続しプレート（１１）の正面に対して垂直な溝列（８）を備え、また他方の側壁（６）は堆積突起（３１）と堆積ポケット（１０）とを有し、前記堆積突起（３１）は各々の表面に多数の溝列（９）を有し、前記堆積ポケット（１０）は溝列をもたない凹部（１２）を有すると共に、堆積突起（３１）に対し補形をなすことを特徴とする端壁。
【請求項２】
正面側（２）の前記丸い隅部（２９）の近くに堆積角継手（１３）が配置され、前記各堆積角継手（１３）は２つの突起（１４、１５）から成り、各突起は三角形輪郭を有し、また前記２つの突起の相互に対向する長辺（１６、１６）は、正面（２）の輪郭縁に対して斜方向に延在するギャップ（１７）を相互間に画成する事を特徴とする請求項１に記載の端壁。
【請求項３】
前記堆積角継手（１３）のギャップ（１７）はプレートの対角線にそって延在する事を特徴とする請求項２に記載の端壁。
【請求項４】
前記三角形突起（１４、１５）の隅部は丸く形成され、また前記ギャップ（１７）はプレート（１１）の後側面（２０）上のリブ（１８、１９）の厚さに対応する幅を有する事を特徴とする請求項２に記載の端壁。
【請求項５】
端壁（１）の外側サイズは７００ｍｍ×７００ｍｍ−７６０ｍｍ乃至１１００ｍｍ×１２００ｍｍの範囲内にある事を特徴とする請求項１に記載の端壁。
【請求項６】
前記他方の側壁（６）の案内溝穴（７）によって相互に分離された各部分はそれぞれ堆積ポケット（１０）を有し、各前記ポケット（１０）が中央に配置された複数の溝（９）を備え、これらの溝（９）の左右に平滑面（２７、２８）が接続され、堆積突起（３１）が前記堆積ポケット（１０）に対向配置され、前記堆積ポケット（１０）はそれぞれの中央に凹部（１２）を備え、各凹部（１２）が対応の複数の溝（９）に対向配置され、また前記堆積ポケット（１０）と堆積突起（３１）とが側壁（６）の長手方に相互に交代する事を特徴とする請求項１に記載の端壁。
【請求項７】
プレート（１１）の後側面のリブ（１８、１９）は放射方向に延在し、また他のリブ（３０）はプレート（１１）の平滑な側壁（３、４）に対して平行に延在する事を特徴とする請求項１に記載の端壁。
【請求項８】
中央挿入オリフィス（２１）を有し、前記オリフィス（２１）は、その内周面にそってその深さ全体に周方向に延在する溝列（２４）を有する事を特徴とする請求項１に記載の端壁。
【請求項９】
前記挿入オリフィス（２１）は前記環状キャップ（２３）の少なくとも高さにそって軸方向に延在する溝列（３２）を備える事を特徴とする請求項１に記載の端壁。
【請求項１０】
相互に対向する側壁（５、６）はリールのフーピング・バンド用の案内溝穴（７）によって中断され、また案内溝穴（７）は側壁（５、６）の長手方縁に対して垂直に延在する事を特徴とする請求項１に記載の端壁。
【請求項１１】
プレート（１１）の後側（２０）に、隅部（２９）の近くに凹部（２５、２６）が形成され、これらの凹部は前記堆積角継手（１３）の突起（１４、１５）のサイズに対応する輪郭を有する事を特徴とする請求項１に記載の端壁。
【発明の詳細な説明】
【０００１】
【産業上の利用分野】
本発明は長方形プレートを有し、このプレートが丸い隅部面を有し、またリールに対向する前記プレートの正面側は平滑面上に環状キャップを備え、また前記プレートのリールから反対側の後側面は複数のリブによって補強され、前記プレートの正面に対して直角に延在しそれぞれ相異なる輪郭を有する４側壁を備えた成形性材料から成るリール保持用端壁に関するものである。
【０００２】
巻き取られた材料、例えば巻き取り管上に巻き付けられたプラスチックフィルムのパッケージ用のプラスチックまたはその他の成形性性材料から成るこの型の一体的端壁は、対応の第２端壁と共に全体サイズの安定したリール用パッケージを構成する。この場合、これらの２つの端壁はリールの全長にわたってフーピング・バンドによって相互に保持される。
【０００３】
【従来の技術】
文献ＤＥ−Ｕ  ８５，２０，２７０に記載の端壁は、その周囲にそって延在する側壁または縁ウエブを有し、これらの側壁はその外側面に、同一長さ、幅および高さの交互の歯および歯間隙から成る輪郭を備える。このような２グループの輪郭が横方向に順次に配置され、また側壁の長さを二分する面に対して対称的に配置され、この場合これらの２グループの輪郭がそれぞれの側壁の長さの約半分のみを占める。この端壁の正面側は中央の一体的挿入可能ほぞを含むが、正面側の隅部またはその近くには保持突起を有しない。この公知の端壁の他の実施態様は、挿入可能ほぞのほかに、端壁の４隅部の近くに４保持突起を備える。この公知の端壁および垂直方向に整列された端壁は上下に堆積させる事はできるが、垂直に整列された端壁はその隣接の側壁または上下の側壁を相互に係合させて相互に保持する事ができない。この型の堆積の安定性が保証されないので、他の手段なしでは端壁によって堆積されたリールを上下に堆積状態に保持する事ができない。
【０００４】
文献ＤＥ−Ｕ  １９，９１，９７６に記載のプラスチックから成る一体的端壁は、放射方向ウエブによって補強された４隅プレートまたは正方形プレートから成る。その中央に巻き付け材料のリール用の挿入可能ほぞが配置され、前記リールは例えば保持プリズムを備える。このプレートがストラップによって包囲され、このストラップの外側に小さいプリズム状ストリップが配置される。前記ストラップはプレートの隅において４つのカップ状凹部を包囲し、巻き付け材料とパッケージ包装との間の外側端面の近くに開く自由中空区域の中に突出し、また前記ストラップはその周囲に延在し歯を備えたストップストリップを備える。
【０００５】
端壁の側壁相互の整列状態を予め選定する事なく各側壁の相互係合によって、上下にまたは隣接して堆積された複数の仕上がりリール用端壁の相互保持を改良するため、ＥＰ−Ｂ  ０，３３２，１８６に記載の端壁においては、側壁の２グループの輪郭がそれぞれ相異なる長さの断面の堆積突起を有し、これらの堆積突起が相異なる長さと断面の堆積ポケットを画成する。この場合、これらの堆積ポケットは堆積突起に対して補形を成すように設計され配置されているので、垂直に整列された端壁が相互に横方向にまた／あるいは垂直上下に堆積される時、一方の端壁の側壁の堆積突起および堆積ポケットが他方の端壁の４側壁の堆積ポケットおよび堆積突起と遊隙なしで組立てられる。端壁の正面側は中央の挿入可能ほぞと、端壁の隅部近くの４保持突起とを備える。
【０００６】
ＥＰ−Ａ−０，５３５，４８１に記載の類似の端壁においては、各端壁の少なくとも１つの側壁が堆積突起および堆積ポケットの代わりに、側壁中の案内溝穴によって中断され側壁の全長にそって延在する溝列を有する。端壁の後側はウエブによって補強されている。溝列の各溝は対角線面においてプリズムカットの形状を有し、各溝の断面は三角形である。
【０００７】
ＥＰ−Ａ−０，５２２，４５０に記載の端壁においては、プレートの少なくとも１つの側壁が平面から成る。この平面区域中に、端壁によってパッケージされたリールが木製輸送パレットの板の上を滑る事を防止するための突起が配置されている。これらの突起は上方にむかって狭くなった幾何学的形状を有する。
【０００８】
ＥＰ−Ａ−０，６０１，４９４に記載のリール用の射出成形材料から成る端壁においては、前記端壁は長方形、特に正方形のプレートを含み、このプレートは丸い角面を有しまたリールに対向するその正面は中央の一体的な挿入可能ほぞと保持突起とを有する。リールから反対側の前記端壁の後側はまっすぐな保持リブおよび環状リブによって補強されている。端壁はその側壁上に、堆積ポケットを画成する堆積突起を備える。堆積ポケットは堆積突起に対して補形を成す。また前記プレートの正面は前記挿入可能ほぞを包囲する環状キャップを備える。環状キャップの外径は端壁の縁の長さより小、またリール直径より小である。リールの縁区域と端壁との接触と、これに伴なうリール縁区域の損傷とが前記の環状キャップによって防止される。
【０００９】
【発明が解決しようとする課題】
大型の、例えば８００ｍｍ×８００ｍｍまたはこれ以上のサイズを有するプラスチックから形成されたこの型の端壁のコストは高く、またこの型の大型端壁は大重量を有する。コストの観点から、７００ｍｍまたはこれ以上の直径を有する大型リール用の従来の端壁がチップボードから製造されている。この型の端壁も同様に非常に重く、このような端壁を長期的に扱わなければならない人に肉体的苦痛を与える。
【００１０】
他の問題点は、プラスチックから成る端壁と相違し、チップボードから成る端壁の回収率が非常に低い事である。これは、端壁製品の受領者がそのチップボード材料を他の目的に使用するからである。またチップボードから成る端壁の不適切な貯蔵の結果、しばしば端壁を湿分によって損傷させ、その再使用を不可能とする。
【００１１】
本発明の目的は、比較的低価格で製造する事ができ、同一型式の公知の端壁より低い重量を有し、従来の端壁よりも実質的に曲げ抵抗性であって低破断性であり、木製パレット上に端壁によってパッケージされたリールの確実な滑り防止堆積を保証するプラスチック製端壁を提供するにある。
【００１２】
本発明によれば、冒頭において述べた型の端壁において、２つの相互に対向する側壁が平滑な平面状に形成され、他の２つの相互に対向する側壁が相異なる構造を有し、その一方の側壁はこの側壁に沿って連続しプレートの正面に対して垂直な溝列を備え、また他方の側壁は堆積突起と堆積ポケットとを有し、前記堆積突起は各々の表面に多数の溝列を有し、前記堆積ポケットは溝列をもたない凹部を有すると共に、堆積突起に対し補形をなすことを特徴とする端壁によって前記の目的が達成される。
【００１３】
本発明の他の実施態様において、正面側の前記丸い隅部の近くに堆積角継手が配置され、前記各堆積角継手は２つの突起から成り、各突起は三角形輪郭を有し、また前記２つの突起の相互に対向する長辺は、正面の輪郭縁に対して斜方向に延在するギャップを相互間に画成する。特に、前記堆積角継手のギャップはプレートの対角線にそって延在する。
【００１４】
本発明のさらに他の実施態様において、前記三角形突起の隅部は丸く形成され、また前記ギャップはプレートの後側面上のリブの厚さに対応する幅を有する。
【００１５】
【作用】
このようにして、２つの端壁が上下に堆積される時、一方のプレートの後側の放射方向に延在するリブが他方のプレートの堆積角継手のギャップの中に嵌合し、このプレートが保持される。特に、端壁の２側壁の平滑な設計の結果、また従来の端壁において一般に見られる中央の一体的挿入可能ほぞを省略した事により、大きな重量節減が得られる。
【００１６】
本発明の他の改良点は請求項５乃至１１のフィーチャから明かである。
【００１７】
以下、本発明を図面に示す２つの実施例について詳細に説明するが本発明はこれに限定されない。
【００１８】
【実施例】
図１に図示の端壁１の正面側の斜視図において、相互に対向する２つの側壁３、４は平滑で平坦に形成されているが、他の２つの相互に対向する側壁５、６はこれと相違するように形成されている。４側壁は相互に丸い隅部２９によって接続されている。正面側２は長方形プレート１１から成り、このプレート１１は環状キャップ２３と中心挿入オリフィス２１とを有する。端壁１の正面側２はリール（図示されていない）に対向するが、その後側２０（図２）はリールから反対側に外側に向いている。一方の側壁５は、プレート１１の正面側２に対して垂直に延在する複数の溝８を連続的に備える。他方の側壁６の上には、複数の溝９と堆積ポケット１０が配置され、これらのポケットは前記溝列の補形を成す溝列を有せずまた凹部１２を備える。これらの相互に対向する側壁５、６は、それぞれリールのフーピング・バンドを受ける案内溝穴７によって中断されている。案内溝穴７はそれぞれ側壁５、６の長手方縁に対して垂直に延在する。端壁１の正面側２の丸い隅部２９の近くに、それぞれ堆積角継手１３が配置され、これらの角継手はそれぞれ２つの突起１４、１５から成る。これらの突起１４、１５はそれぞれ三角形輪郭を有し、これらの突起の対向長辺１６、１６は相互にギャップ１７を画成し、このギャップ１７は正面側２の輪郭縁に対して斜方向に延在する。さらに詳しくは、これらのギャップ１７はプレート１１の対角線にそって延在する。端壁１の外側サイズは７００ｍｍ×７００−７６０ｍｍ、乃至１１００ｍｍ×１２００ｍｍ、好ましくは８００ｍｍ×８６０−８８０ｍｍの範囲内にある。三角形突起１４、１５の隅部は丸く形成され、またギャップ１７は図２に図示のプレート１１の後側２０上のリブ１８、１９の厚さに対応する幅を有する。図１による第１実施態様は軸方向に延在する複数の溝３２を有する挿入オリフィス２１を有し、これらの溝は挿入オリフィス２１の長手方方向に、少なくとも環状キャップ２３の高さだけまたは挿入オリフィス２１の全高にそって延在する。
【００１９】
図２に図示の端壁１の第２実施態様の後側２０の斜視図は、後側２０が一方においては放射方向リブ１８、１９によって補強され、他方においてはプレート１１の平滑側壁３、４に対して平行に走る長手方リブ３０によって補強されている。図２において左側の側壁５は複数の連続した溝８を備えるが、上方の側壁６は堆積ポケット１０と堆積突起３１とを有する。後側２０において、挿入オリフィス２１の周方向に延在する溝列２４が見られる。またこれらの側壁５と６には、リールのフーピング・バンドの案内溝穴７が見られる。
【００２０】
環状キャップは包装されるリールの直径より小さい外径を有し、端壁１とリールの外側縁との間にギャップを形成して、リールの切断縁の損傷を防止する。先行技術と相違し、端壁１はリールを担持する挿入自在の一体的ほぞを有せず、その代わりに別個のほぞまたは円筒体が端壁の挿入オリフィス２１を通してリールの中空軸の中に押し込まれる。この型のほぞは荷重作用で弾性変形を受ける。公知の挿入自在の一体的剛性ほぞを有する端壁と相違し、本発明による端壁１においては挿入されたほぞに対して剪断力が加えられない。一体的ほぞの場合には、このような剪断力が最悪の場合にはほぞの破断を生じる可能性がある。挿入オリフィス２１の中に押し込まれるほぞ（図示されていない）とこのオリフィス２１は、図６について下記に説明するように、それぞれ周方向に延在する複数の溝列を有する。これらの溝は発生する振動の結果として、ほぞが滑り落ちる事を防止する。
【００２１】
図２について説明したように、端壁１は１方向の荷重を吸収するための本質的に放射方向の垂直リブ構造を有する。端壁１が作動位置にある時に平滑側壁３、４とこれらの側壁に平行なリブ３０とが垂直方向に整列するように構成されているので、この垂直構造が得られる。これらのリブは堆積ポケット１０の中にも継続する。先行技術の端壁構造と相違し、本発明の側壁構造においては重量節約のために環状および水平リブ構造を使用しない事ができる。放射方向リブ１８、１９は端壁１の隅部２９において支承され、従って端壁１の落下による地面との衝突に際しての破断を最小限にする。端壁の堆積角継手１３は堆積される端壁のリブを受けるように分割されている。これらの角継手は平坦で大面積に形成され、従って公知の突出した堆積突起または保持突起よりも破断の危険性が少ない。下記においてさらに詳細に説明する堆積角継手１３の全体として低い高さとその分割構造とにより、端壁１を直接に１つづつ積み重ねて非常にコンパクトな堆積を形成する事ができる。
【００２２】
最大限２リールが上下に堆積されるのであるから、直立された端壁１の上方側壁６のみに堆積ポケット１０が配置される。前述のように、特に大型リールの場合、端壁の側面の歯型が備えられないのであるから、側壁３、４は平滑に設計される。輸送車の積載高さの故に、２つ以上の大型リールの堆積は実施されない。
【００２３】
側壁１の１つの丸い隅部２９近くの側壁後側面の一部を示す図３から明かなように、プレート１１の後側には堆積角継手１３の突起１４、１５のサイズに対応する輪郭を有する凹部２５、２６が配置されている。水平に整列された端壁が上下に堆積される時、一方の側壁の堆積角継手１３の突起１４、１５はこれらの突起の高さが低いので、上方に配置された端壁の凹部２５、２６の中に係合しない。しかし一方の端壁の後側の放射方向リブ１８、１９が堆積角継手１３のギャップ１７と係合する事により、上下に配置された端壁の良好な保持を保証する。
【００２４】
図４に図示の側壁６の平面図は案内溝穴７によって相互に分離された側壁の各部分を示す。堆積突起３１と堆積ポケット１０はそれぞれの部分において相互に対向配置されている。堆積突起３１はその中央に配置された複数の溝列９を有し、これらの溝列のそれぞれ左右に平滑面２７、２８が接続している。各堆積ポケット１０は、前記の溝列９に対向配置された中央凹部１２を有する。堆積ポケット１０と堆積突起３１は側壁６の長手方に相互に交代する。
【００２５】
図５は、堆積突起３１と堆積ポケット１０とを有する側壁６の一部の斜視図である。
【００２６】
図６に示す中央挿入オリフィス２１の平面図から明かなように、このオリフィスは円筒形部分から成り、この円筒形部分は内周面にそって延在する溝列を備える。この溝列２４は少なくとも環状キャップ２３の高さ延在するが、また挿入オリフィス２１の深さ全体に延在する事ができる。これらの溝２４は、挿入オリフィス２１の中に挿入された対応の溝付きほぞの無滑−無振動係合を保証する。
【００２７】
堆積突起３１に関して、端壁が木製パレットの上に配置した時に突起３１の溝列９が端壁の滑り抵抗を与えるように設計されている事を注意しよう。端壁がその上に配置された他の端壁と係合する時、溝列９が他方の端壁の凹部１２の中に係合して、端壁相互の堆積を妨害しない。
【図面の簡単な説明】
【図１】第１実施態様の端壁の正面側の斜視図。
【図２】第２実施態様の端壁の後側の斜視図。
【図３】端壁の１つの隅部近くの後側の一部の詳細平面図。
【図４】端壁の堆積ポケットとこれに対向する溝列とを有する側壁の平面図。
【図５】端壁の堆積ポケットとこれに対向する溝列とを有する側壁の一部の斜視図。
【図６】第２実施態様の端壁の中央挿入可能オリフィスの平面図。
【符号の説明】
１  端壁
２  正面
３、４、５、６  側壁
７  案内溝穴
８、９  溝列
１０  堆積ポケット
１１  プレート
１２  凹部
１３  堆積角継手
１４、１５  突起
１６  三角形突起の長辺
１７  ギャップ
１８、１９  リブ
２０  後側
２１  オリフィス
２３  キャップ
２４  溝
２５、２６  凹部
２７、２８  平滑面
２９  隅部
３０  リブ
３１  堆積突起
３２  溝
【図１】
0003703570.tif 000002
【図２】
0003703570.tif 000003
【図３】
0003703570.tif 000004
【図４】
0003703570.tif 000005
【図５】
0003703570.tif 000006
【図６】
0003703570.tif 000007